(57)【要約】【課題】プリント配線板に搭載された部品を容易にかつ低コストで取り外すことができる部品取外装置を提供する。【解決手段】被取外部品をプリント配線板側から押圧部材１０を押し当てて押圧するギヤボックス１５，ハンドル１７と、押圧部材１０の移動を許容しつつ、プリント配線板を押圧に抗して支持する支持部材５とを有し、押圧によってプリント配線板の被取外部品の搭載領域を破壊し、プリント配線板から被取外部品を当該プリント配線板の一部とともに分離する。【選択図】図１
2005007523.tif 000002
【特許請求の範囲】
【請求項１】
プリント配線板に搭載された被取外部品を取り外す部品取外装置であって、
前記被取外部品を前記プリント配線板側から押圧部材を押し当てて押圧する押圧手段と、
前記押圧部材の移動を許容しつつ、前記プリント配線板を前記押圧手段による押圧に抗して支持する支持手段と、を有し、
押圧によって前記プリント配線板の前記被取外部品の搭載領域を破壊し、前記プリント配線板から前記被取外部品を当該プリント配線板の一部とともに分離する
部品取外装置。
【請求項２】
前記被取外部品は、リード端子を有し、
前記リード端子は、前記プリント配線板に形成された穴に挿入され半田付けされている
請求項１に記載の部品取外装置
【請求項３】
前記支持手段は、前記押圧手段による前記被取外部品の押圧を可能にする位置に、当該プリント配線板を位置決めする機能を有する
請求項１に記載の部品取外装置。
【請求項４】
前記支持手段は、前記プリント配線板の前記被取外部品の両側部を支持可能に配置された一対の支持部材を有し、
前記押圧部材は、前記一対の支持部材の間を通過可能に設けられている
請求項１に記載の部品取外装置。
【請求項５】
前記被取外部品は、チューナーである
請求項１に記載の部品取外装置。
【請求項６】
プリント配線板に搭載された被取外部品を取り外す部品取外方法であって、
前記被取外部品を前記プリント配線板側から押圧部材を押し当てて押圧し、
前記押圧部材の押圧に抗して前記プリント配線板を支持し、
前記押圧部材による押圧により、前記プリント配線板の前記被取外部品の搭載領域を破壊し、前記プリント配線板から前記被取外部品を当該プリント配線板の一部とともに分離する
部品取外方法。
【発明の詳細な説明】
【０００１】
【発明の属する技術分野】
本発明は、プリント配線基板に搭載された、たとえば、チューナー等の電子部品を取り外す部品取外装置に関する。
【０００２】
【従来の技術】
テレビジョン受像機は、各種の電子部品を搭載したプリント配線板を内蔵している。このプリント配線板は、使用済のテレビジョン受像機を解体したときに取り外される。
テレビジョン受像機から取り外されたプリント配線板には、種々の部品が取付けられている。たとえば、貴金属を用いている部品は、貴金属を効率良く回収する観点からは、プリント配線板から取り外したのちに、溶解、精錬するのが好ましい。
しかしながら、プリント配線板に搭載された種々の部品は、通常、半田付けによって固定されているため、取り外しが容易ではない。プリント配線板に搭載された部品を取り外す技術として、たとえば、特許文献１は、プリント配線板の取り外したい部品の周囲を打ち抜くことにより、プリント配線板の一部とともに部品を分離する技術を開示している。
【０００３】
【特許文献１】
特開２００１−３１５０９６号公報
【０００４】
【発明が解決しようとする課題】
ところで、特許文献１のような技術を用いると、プリント配線板から必要な部品を個別に取り外すことは可能であるが、画像処理装置等の設備が必要であるため、コストが高いという不利益が存在する。
【０００５】
本発明は、上記した問題に鑑みてなされたものであって、その目的は、プリント配線板に搭載された部品を容易にかつ低コストで取り外すことができる部品取外装置および部品取外方法を提供することにある。
【０００６】
【課題を解決するための手段】
本発明の部品取外装置は、プリント配線板に搭載された被取外部品を取り外す部品取外装置であって、前記被取外部品を前記プリント配線板側から押圧部材を押し当てて押圧する押圧手段と、前記押圧部材の移動を許容しつつ、前記プリント配線板を前記押圧手段による押圧に抗して支持する支持手段と、を有し、押圧によって前記プリント配線板の前記被取外部品の搭載領域を破壊し、前記プリント配線板から前記被取外部品を当該プリント配線板の一部とともに分離する。
【０００７】
本発明の部品取外方法は、プリント配線板に搭載された被取外部品を取り外す部品取外方法であって、前記被取外部品を前記プリント配線板側から押圧部材を押し当てて押圧し、前記押圧部材の押圧に抗して前記プリント配線板を支持し、前記押圧部材による押圧により、前記プリント配線板の前記被取外部品の搭載領域を破壊し、前記プリント配線板から前記被取外部品を当該プリント配線板の一部とともに分離する。
【０００８】
本発明では、被取外部品をプリント配線板側から押圧部材を押し当てて押圧すると、プリント配線板は押圧に抗して支持される。押圧部材は移動が許容されているので、支持されたプリント配線板には剪断力が発生する。この剪断力によりプリント配線板は破壊され、被取外部品がプリント配線板の一部とともに分離される。
【０００９】
【発明の実施の形態】
以下、本発明の実施の形態について図面を参照して説明する。
図１は本発明の一実施形態に係る部品取外装置を示す斜視図であり、図２は図１に示す部品取外装置の上面図であり、図３は図１に示す部品取外装置の側面図であり、図４は図３のＡ−Ａ線方向の断面図である。
部品取外装置１は、ベース２、基板台３、支持部材５、押圧部材１０およびギヤボックス１５を有する。
【００１０】
ベース２は、矩形状の平板部材であり、たとえば、鉄等の金属で形成されている。
２つの基板台３は、ベース２の両側部に略平行に配置されている。２つの基板台３は、同じ高さを有する。この２つの基板台３上に、後述するプリント配線板が置かれる。
【００１１】
２つの支持部材５は、図１または図４に示すように、Ｌ字形を有し、ベース２に略平行となるように一端が固定されており、他端は自由端となっている。２つの支持部材５の間隔は、後述する被取外部品であるチューナーの幅よりも若干大きく設定されている。
また、２つの支持部材５は、２つの基板台３の間に挟まれる位置に配置されている。
支持部材５のベース２に対向する面がプリント配線板を支持する支持面５ａである。支持面５ａのベース２からの高さは、ベース２から基板台３の上面までの高さよりも高い。後述するように、プリント配線板は基板台３の上面と支持部材５の支持面５ａとの間に、挿入される。
支持部材５の支持面５ａに連なる、ベース２に垂直な側面５ｂは、プリント配線板を基板台３の上面と支持部材５の支持面５ａとの間に挿入したときに、プリント配線板の端面が当接し、このプリント配線板の移動を規制する役割を果たす。
支持部材５は、たとえば、鉄等の金属で形成されている。この支持部材５は、たとえば、溶接、ボルト締結等の手段によりベース２に固定される。
【００１２】
ギヤボックス１５は、ベース２上に固定されている。このギヤボックス１５は、図示しない歯車列を内蔵し、入力軸１６から入力された回転を減速して出力軸１８へ出力する。減速することにより、入力軸１６に入力されるトルクよりも大きなトルクが出力軸１８に発生する。
ギヤボックス１５の入力軸１６には、ハンドル１７が接続されている。このハンドル１７により、ギヤボックス１５へ手動で回転力を入力する。
【００１３】
押圧部材１０は、一端部がギヤボックス１５の出力軸１８に接続されている。この押圧部材１０は、断面が矩形状の棒状の部材からなり、２つの支持部材５の間に配置されている。押圧部材１０は、たとえば、鉄等の金属で形成されている。
押圧部材１０は、出力軸１８の回転に応じて旋回する。
押圧部材１０の上面である押圧面１０ａは、後述するプリント配線板を下側から押し上げる。
【００１４】
次に、上記構成の部品取外装置１によって部品が取り外されるプリント配線板の一例について説明する。
図５に示すプリント配線板１０１は、たとえば、テレビジョン受像機を解体したときに取り出される。
プリント配線板１０１上には、複数の電子部品１０３が搭載されているとともに、チューナー１０２が搭載されている。
【００１５】
チューナー１０２は、矩形状のプリント配線板１０１の一端面１０１ａに近い場所に、一端面１０１ａに略直交する向きに配置されている。
チューナー１０２は、電磁波をシールドする観点から、鉄製のケースで覆われており、内部に各種の電子部品が内蔵されている。チューナー１０２の端部には、同軸ケーブルを接続するための接続部１０３がプリント配線板１０１の側方に突き出すように設けられている。
チューナー１０２は、複数の貴金属を使用しており、この貴金属を効率良く回収する観点からは、チューナー１０２をプリント配線板１０１から取り外したのちに、溶解、精錬することが好ましい。
【００１６】
図６に示すように、チューナー１０２は、複数のリード端子１０２ａを備えており、このリード端子１０２ａがプリント配線板１０１に形成されたスルーホール１０１ｈに挿入されている。リード端子１０２ａは、スルーホール１０１ｈに挿入された状態で半田付けにより固定されている。プリント配線板１０１には、複数のスルーホール１０１ｈが整列して形成されている。このスルーホール１０１ｈが形成された部分は、他の部分に比べて強度が低い。
【００１７】
次に、上記構成の部品取外装置１を用いたプリント配線板１０１に搭載されたチューナー１０２の取り外し方法の一例について説明する。
まず、図７〜図９に示すように、プリント配線板１０１を支持部材５の自由端５ｆ側から基板台３と支持部材５の支持面５ａとの間に挿入する。
このとき、プリント配線板１０１に搭載されたチューナー１０２が２つの支持部材５に挟まれるように挿入する。
【００１８】
２つの支持部材５の間隔は、チューナー１０２の幅よりも若干大きいので、プリント配線板１０１はある程度２つの支持部材５によってガイドされ、プリント配線板１０１の端面が支持部材５の側面５ｂに当接すると、位置決めが完了する。
この状態では、押圧部材１０の上方にチューナー１０２が位置している。
【００１９】
次いで、ハンドル１７を所定の向きに回転させ、図１０に示すように、押圧部材１０を出力軸１８を中心に上向きに旋回させる。
押圧部材１０が旋回すると、押圧部材１０の押圧面１０ａがプリント配線板１０１を押し上げる。なお、押圧部材１０の幅は、リード端子１０２ａの２列の間隔よりも若干短い。
押圧部材１０がプリント配線板１０１を押し上げると、プリント配線板１０１は基板台３から離れるが、図１０に示すように、支持部材５の支持面５ａによって支持される。
【００２０】
プリント配線板１０１が支持部材５の支持面５ａによって支持された状態で、さらに、押圧部材１０がプリント配線板１０１を押し上げると、プリント配線板１０１に剪断力が作用し、プリント配線板１０１が破壊する。
特に、プリント配線板１０１の複数のスルーホール１０１ｈが整列して形成されている部分は、強度が低いので、この部分が破壊し易い。
【００２１】
図１１に示すように、プリント配線板１０１のチューナー１０２が搭載された領域が破壊され、押圧部材１０を継続して押し上げることにより、一部のプリント配線板１０１とともにチューナー１０２がプリント配線板１０１から完全に分離される。
図１２に示すように、プリント配線板１０１は、チューナー１０２の搭載領域ＭＲと略等しい領域ＲＰが除去される。
【００２２】
チューナー１０２が分離された後には、ハンドル１７を逆回転させて、押圧部材１０を元の位置に復帰させる。これにより、次のプリント配線板１０１のチューナー１０２の分離の準備が完了する。
【００２３】
本実施形態では、基板台３に位置決めされたプリント配線板１０１のチューナー１０２の搭載された領域を押圧部材１０によって押し上げる。この押圧部材１０による押し上げに抗して、チューナー１０２の両側を支持部材５により支持すると、プリント配線板１０１には剪断力が作用する。この剪断力が作用する近傍に、スルーホール１０１ｈにより強度が低い部分が存在するので、この部分が容易に破壊し、チューナー１０２を確実に分離することができる。
プリント配線板１０１も、領域ＲＰが押圧部材１０によって略一定の形状に割り取られるので、プリント配線板１０１が割れて散乱することがない。
また、チューナー１０２は機種が異なってもプリント配線板１０１の略一定の場所に搭載されているので、機種が異なっても共通の部品取外装置１で取り外すことができる。また、チューナー１０２の大きさが大きく異なる場合には、支持部材５の間隔を変更すればよい。
チューナー１０２が取り外されたのちのプリント配線板１０１は、容積が減少し、運搬がし易くなり、また、ストックする際にもかさばることがない。
【００２４】
本発明は、上述した実施形態に限定されない。
上述した実施形態では、本発明の被取外部品としてチューナーの場合について説明したが、チューナーに限らず、たとえば、細長い放熱板、リレーフィルムコンデンサーセメント抵抗等の各種の部品に適用可能である。
【００２５】
また、上述した実施形態では、押圧部材１０を出力軸１８を中心に旋回させる構成としたが、押圧部材１０に代えて、プリント配線板１０１の下から垂直に上下する押圧部材を備える構造でもよく、この場合には、たとえば、エアーシリンダー等の直動する駆動源を用いて押圧部材を押し上げることができる。
【００２６】
【発明の効果】
本発明によれば、プリント配線基板から簡単に所望の部品を取り外すことができる。このため、部品が貴金属を有する場合に、部品に含まれる貴金属の精錬コストを大幅に低くできる。
また、本発明によれば、装置コストを大幅に低減できる。
【図面の簡単な説明】
【図１】本発明の一実施形態に係る部品取外装置を示す斜視図である。
【図２】図１に示す部品取外装置の上面図である。
【図３】図１に示す部品取外装置の側面図である。
【図４】図３のＡ−Ａ線方向の断面図である。
【図５】部品を取り外すべきプリント配線板の一例を示す斜視図である。
【図６】図５に示したプリント配線板の非搭載面側の構造を示す平面図である。
【図７】部品取外装置によりチューナーを取り外す手順を説明するための図であって、プリント配線板を装置にセットした状態を示す図である。
【図８】図７の状態の側面図である。
【図９】図８のＡ−Ａ線方向の断面図である。
【図１０】押圧部材１０がプリント配線板を押し上げた状態を示す断面図である。
【図１１】押圧部材１０がプリント配線板を破壊した状態を示す断面図である。
【図１２】チューナーが取り外された後のプリント配線板の一例を示す平面図である。
【符号の説明】
１…部品取外装置、２…ベース、３…基板台、５…支持部材、１０…押圧部材、１５…ギヤボックス、１７…ハンドル、１０１…プリント配線板。
【図１】
2005007523.tif 000003
【図２】
2005007523.tif 000004
【図３】
2005007523.tif 000005
【図４】
2005007523.tif 000006
【図５】
2005007523.tif 000007
【図６】
2005007523.tif 000008
【図７】
2005007523.tif 000009
【図８】
2005007523.tif 000010
【図９】
2005007523.tif 000011
【図１０】
2005007523.tif 000012
【図１１】
2005007523.tif 000013
【図１２】
2005007523.tif 000014